(57)【要約】【課題】光ディスクに照射するレーザ光線の角度を常に一定に維持するために、メカシャーシとスピンドルモータ基板等の間隔を常に一定に維持できる間隔調節ねじ及びそれを用いたディスクプレーヤにおける光ピックアップの光ディスクへのレーザ光線照射角度調節機構を提供する。【解決手段】スピンドルモータ２０が取付板２２に装着され、取付板２２をメカシャーシ１０に取り付ける複数の支点部２６，２８，３０が設けられ、複数の支点部のうちの少なくとも１つに、取付板２２に設けられた第１のねじ孔５２に螺合するねじ山４７が形成された第１のねじ部４６と、メカシャーシ１０に設けられた第２のねじ孔５０に螺合するねじ山４９が形成された第２のねじ部４８とを具備し、第１のねじ部４６と第２のねじ部４８とが同一軸線上に形成され、第１のねじ部４６と第２のねじ部４８のどちらか一方が右ねじに形成され、他方が左ねじに形成されている間隔調節ねじが取り付けられている。【選択図】　　　　　図３
2004022134.tif 000002
【特許請求の範囲】
【請求項１】
第１対象物と第２対象物との間に架設されて、第１対象物と第２対象物との間隔を螺合の度合によって調節する間隔調節ねじであって、
前記第１対象物に設けられた第１のねじ孔に螺合するねじ山が形成された第１のねじ部と、
前記第２対象物に設けられた第２のねじ孔に螺合するねじ山が形成された第２のねじ部とを具備し、
前記第１のねじ部と前記第２のねじ部とが同一軸線上に形成され、前記第１のねじ部と前記第２のねじ部のどちらか一方が右ねじに形成され、他方が左ねじに形成されていることを特徴とする間隔調節ねじ。
【請求項２】
前記第１のねじ部よりも小径に設けられた前記第２のねじ部が、第１のねじ部の一端部に設けられ、
前記第１のねじ部の他端部に、第１対象物の一面側に当接する頭部が設けられていることを特徴とする請求項１記載の間隔調節ねじ。
【請求項３】
メカシャーシに取り付けられ、出力軸には光ディスクが載置されるターンテーブルが装着されたスピンドルモータと、
前記メカシャーシに取り付けられ、前記ターンテーブルに載置された光ディスクにレーザ光線を照射する光ピックアップとを具備するディスクプレーヤにおける光ピックアップの光ディスクへのレーザ光線照射角度調節機構において、
前記スピンドルモータが取付板に装着され、
該取付板を前記メカシャーシに取り付ける複数の支点部が設けられ、
該複数の支点部のうちの１つである基準支点部が、該基準支点部におけるメカシャーシと取付板との間の隙間を略一定間隔に保持して設けられ、
前記複数の支点部のうちの少なくとも１つが、調節支点部として、前記取付板に設けられた第１のねじ孔に螺合するねじ山が形成された第１のねじ部と、前記メカシャーシに設けられた第２のねじ孔に螺合するねじ山が形成された第２のねじ部とを具備し、前記第１のねじ部と前記第２のねじ部とが同一軸線上に形成され、前記第１のねじ部と前記第２のねじ部のどちらか一方が右ねじに形成され、他方が左ねじに形成されている間隔調節ねじにより、前記メカシャーシと前記取付板との間の隙間を調節してメカシャーシに対する取付板の傾きを変更することができるように設けられていることを特徴とするディスクプレーヤにおける光ピックアップの光ディスクへのレーザ光線照射角度調節機構。
【請求項４】
メカシャーシに取り付けられ、出力軸には光ディスクが載置されるターンテーブルが装着されたスピンドルモータと、
前記メカシャーシに取り付けられ、前記ターンテーブルに載置された光ディスクにレーザ光線を照射する光ピックアップとを具備するディスクプレーヤにおける光ピックアップの光ディスクへのレーザ光線照射角度調節機構において、
前記光ピックアップが取付板に装着され、
前記メカシャーシと前記取付板を取り付ける複数の支点部が設けられ、
該複数の支点部のうちの１つである基準支点部が、該基準支点部におけるメカシャーシと取付板との間の隙間を略一定間隔に保持して設けられ、
前記複数の支点部のうちの少なくとも１つが、調節支点部として、前記取付板に設けられた第１のねじ孔に螺合するねじ山が形成された第１のねじ部と、前記メカシャーシに設けられた第２のねじ孔に螺合するねじ山が形成された第２のねじ部とを具備し、前記第１のねじ部と前記第２のねじ部とが同一軸線上に形成され、前記第１のねじ部と前記第２のねじ部のどちらか一方が右ねじに形成され、他方が左ねじに形成されている間隔調節ねじにより、前記メカシャーシと前記取付板との間の隙間を調節してメカシャーシに対する取付板の傾きを変更することができるように設けられていることを特徴とするディスクプレーヤにおける光ピックアップの光ディスクへのレーザ光線照射角度調節機構。
【請求項５】
前記間隔調節ねじが、前記第２のねじ部が前記第１のねじ部よりも小径に設けられて第１のねじ部の一端部に設けられ、前記第１のねじ部の他端部に、前記取付板の一面側に当接する頭部が設けられている段付ねじであることを特徴とする請求項３又は４記載のディスクプレーヤにおける光ピックアップの光ディスクへのレーザ光線照射角度調節機構。
【発明の詳細な説明】
【０００１】
【発明の属する技術分野】
本発明は、２つの対象物の間隔を正確に調節することができる間隔調節ねじに関し、また、この間隔調節ねじを用いた、ＣＤ等の光ディスクに対して情報の記録等を行うディスクプレーヤにおける光ピックアップの光ディスクへのレーザ光線照射角度調節機構に関する。
【０００２】
【従来の技術】
最近では、従来の再生のみのディスクプレーヤだけでなく、ＣＤ−Ｒ，ＣＤ−ＲＷ，ＤＶＤ等の光ディスクに記録を行えるディスクプレーヤも製造されるようになってきた。また、記録及び再生の双方を行える光ディスク装置（ＣＤ−ＲＷ装置，ＤＶＤ装置）も製造されるようになってきている。そして、光ディスクに記録を行うためには光ディスクに照射されるレーザー光線の強度を一定に保つ必要がある。このためには、出力が大きな光ピックアップをディスクプレーヤに採用するだけではなく、レーザー光線が光ディスクにより直角に近い角度で照射されることが重要な点となる。
【０００３】
しかしながら、機械加工の精度、取付精度及び光ピックアップ等の部品精度の関係から、光ディスクが載置されるターンテーブルと光ピックアップがスライド可能に取り付けられるメカシャーシとの平行度は製品毎にばらつきが生じるのが常である。
そこで、光ピックアップの光ディスクへのレーザ光線照射角度調節機構として、ターンテーブルの傾き調節機構をディスクプレーヤに設けて、製品毎にターンテーブルとメカシャーシの平行度、すなわちターンテーブルに載置される光ディスクへの光ピックアップからのレーザ光線の入射角（照射角度でもある）を調整して出荷するようにしている。
【０００４】
このターンテーブルの傾き調節機構の一例としては、図１、図２及び図９に示す構成に形成されたものがある。なお、図１は、メカシャーシに取り付けられる光ピックアップとターンテーブルとの関係を示すと共に、ターンテーブルの傾き調節機構の３つの支点部の位置を示すディスクプレーヤのメカシャーシ部分の平面図である。また、図２は図１のＸ−Ｘ矢視図であり、図７は従来のターンテーブルの傾き調節機構の構成を示す図１におけるＹ−Ｙ矢視図である。
図１に示すように、メカシャーシ１０は板状の外形を有し、ディスクプレーヤの筐体（図示せず）内に固定され、そこには光ピックアップ１２が不図示のガイドレールにより支持されて光ディスク１４の径方向へ移動可能に取り付けられる。ガイドレールは通常はメカシャーシ１０に平行に取り付けられるために光ピックアップ１２もまたメカシャーシ１０と平行な平面内で移動することになる。
【０００５】
出力軸１６にターンテーブル１８が取り付けられた図２に示すスピンドルモータ２０は、スピンドルモータ基板２２に固定され、このスピンドルモータ基板２２がメカシャーシ１０に取り付けられることによって、メカシャーシ１０に装着されている。
そして、このメカシャーシ１０へのスピンドルモータ基板２２の取付角度が傾き調節機構２４により調節できるようになっており、結果としてターンテーブル１８とメカシャーシ１０との角度、すなわちメカシャーシ１０に取り付けられた光ピックアップ１２からのレーザ光線のターンテーブル１８に載置される光ディスク１４への照射角度の調節が行えるのである。
【０００６】
ターンテーブル１８の傾き調節機構２４の詳細な構成について図９により説明する。傾き調節機構２４は、上述したスピンドルモータ基板２２と、スピンドルモータ基板２２とメカシャーシ１０との間に配され、スピンドルモータ基板２２をメカシャーシ１０から浮かした状態で支持する３つの支点部２６，２８，３０とを有している。
上記支点部のうち、支点部２６は基準用支点部（以下、基準支点部とも言う）として機能する。基準支点部２６とは、当該基準支点部２６の位置においてメカシャーシ１０とスピンドルモータ基板２２との間の隙間間隔を作業者が意識して可変できない支点部のことを言い、他の２つの調節支点部２８，３０が調節されることによってスピンドルモータ基板２２の傾きが若干変化した場合でも、基準支点部２６の位置におけるメカシャーシ１０とスピンドルモータ基板２２との隙間間隔は略一定に保持される。
【０００７】
具体的には、調節支点部２８は、図９に示すようにメカシャーシ１０とスピンドルモータ基板２２との間に介装したスタッド３２を、スピンドルモータ基板２２側から挿入した段付ねじ３４により固定し、スタッド３２とスピンドルモータ基板２２との間に緩衝材としてリング状の弾性体４０を取り付けて、メカシャーシ１０とスピンドルモータ基板２２の間の隙間間隔を常に略一定となるように保持させている。
【０００８】
また、他の２つの支点部２８，３０は調節用支点部（以下、調節支点部とも言う）として機能し、メカシャーシ１０とスピンドルモータ基板２２との間の隙間間隔を調節可能としている。なお、支点部３０を基準支点部として、他の支点部２６，３０を調節支点部とすることも当然可能である。
具体的には、両支点部２８，３０ともに、スピンドルモータ基板２２に設けられた透孔１００に挿通され、先端がメカシャーシ１０のねじ孔１０２と螺合しているねじ１０４と、ねじ１０４に外嵌された状態でスピンドルモータ基板２２とメカシャーシ１０との間に介装され、常時スピンドルモータ基板２２をメカシャーシ１０から離反する方向へ付勢してねじ１０４の頭部１０４ａの座面に当接させるコイルスプリング１０６で構成されている。この構成により、調節手段であるねじ１０４をメカシャーシ１０にねじ込めば、スピンドルモータ基板２２はねじ１０４の頭部１０４ａにより押されてメカシャーシ１０に接近し、メカシャーシ１０との隙間間隔は狭まる。
また、ねじ１０４を逆に回すと、ねじ１０４の頭部はメカシャーシ１０と離反し、コイルスプリング１０６により押されているスピンドルモータ基板２２もねじ頭部１０４ａと共にメカシャーシ１０から離反する。
【０００９】
上記の構成により、調節支点部２８，３０の一方若しくは両方のねじ１０４を操作して、これら２つの支点部２８，３０でのメカシャーシ１０とスピンドルモータ基板２２との間の隙間間隔を調節すると、スピンドルモータ基板２２のメカシャーシ１０に対する傾きが調節できる。よって、スピンドルモータ基板２２に装着されたスピンドルモータ２０、ひいてはスピンドルモータ２０の出力軸１６に取り付けられたターンテーブル１８の傾きが調節できるのである。
【００１０】
【発明が解決しようとする課題】
しかしながら、上記のように調節支点部２８，３０にコイルスプリング１０６を設けた場合、振動や衝撃を受けた際にコイルスプリング１０６が緩衝材としてディスクプレーヤにかかる応力を軽減させるはたらきをするが、同時にコイルスプリング１０６が変動することにより、メカシャーシ１０とスピンドルモータ基板２２との間の隙間間隔が変化する。これにより、光ディスクに照射するレーザ光線の照射角度を常時一定に維持することが困難であった。
また、ディスクプレーヤが衝撃を受けた際に、コイルスプリング１０６が衝撃を吸収するため、コイルスプリング１０６の一部がねじ１０４のねじ山に引っ掛かるなどして、コイルスプリング１０６が元の位置に戻らず、メカシャーシ１０とスピンドルモータ基板２２とが傾いた状態になる可能性もあった。
【００１１】
さらに、ディスク回転の高速化を行った際には、高速回転により振動が発生する。この場合、上記の構成のようにコイルスプリング１０６を設けることによって、振動の影響を受け、メカシャーシ１０とスピンドルモータ基板２２の間隔が変動することによってレーザ光線の照射角度が安定しなくなる場合があった。
【００１２】
そこで、本発明は、これらの課題を解決すべくなされたものであり、その目的とするところは、光ディスクに照射するレーザ光線の角度を常に一定に維持するために、メカシャーシとスピンドルモータ基板等の間隔を常に一定に維持できる間隔調節ねじ及びそれを用いたディスクプレーヤにおける光ピックアップの光ディスクへのレーザ光線照射角度調節機構を提供することにある。
【００１３】
【課題を解決するための手段】
本発明は、上記目的を達成するため次の構成を備える。
すなわち、第１対象物と第２対象物との間に架設されて、第１対象物と第２対象物との間隔を螺合の度合によって調節する間隔調節ねじであって、前記第１対象物に設けられた第１のねじ孔に螺合するねじ山が形成された第１のねじ部と、前記第２対象物に設けられた第２のねじ孔に螺合するねじ山が形成された第２のねじ部とを具備し、前記第１のねじ部と前記第２のねじ部とが同一軸線上に形成され、前記第１のねじ部と前記第２のねじ部のどちらか一方が右ねじに形成され、他方が左ねじに形成されている。
また、前記第１のねじ部よりも小径に設けられた前記第２のねじ部が、第１のねじ部の一端部に設けられ、前記第１のねじ部の他端部に、第１対象物の一面側に当接する頭部が設けられていることを特徴とする。これにより、第１対象物の外側から間隔調節ねじを挿入して第１対象物と第２対象物との間隔を調節することができる。
【００１４】
また、メカシャーシに取り付けられ、出力軸には光ディスクが載置されるターンテーブルが装着されたスピンドルモータと、前記メカシャーシに取り付けられ、前記ターンテーブルに載置された光ディスクにレーザ光線を照射する光ピックアップとを具備するディスクプレーヤにおける光ピックアップの光ディスクへのレーザ光線照射角度調節機構において、前記スピンドルモータが取付板に装着され、前記メカシャーシと前記取付板を取り付ける複数の支点部が設けられ、該複数の支点部のうちの１つである基準支点部が、該基準支点部におけるメカシャーシと取付板との間の隙間を略一定間隔に保持して設けられ、前記複数の支点部のうちの少なくとも１つが、調節支点部として、前記取付板に設けられた第１のねじ孔に螺合するねじ山が形成された第１のねじ部と、前記メカシャーシに設けられた第２のねじ孔に螺合するねじ山が形成された第２のねじ部とを具備し、前記第１のねじ部と前記第２のねじ部とが同一軸線上に形成され、前記第１のねじ部と前記第２のねじ部のどちらか一方が右ねじに形成され、他方が左ねじに形成されている間隔調節ねじにより、前記メカシャーシと前記取付板との間の隙間を調節してメカシャーシに対する取付板の傾きを変更することができるように設けられていることを特徴とする。また、上記の構成が、光ピックアップを取り付けた取付板であってもよい。
また、前記間隔調節ねじが、前記第２のねじ部が前記第１のねじ部よりも小径に設けられて第１のねじ部の一端部に設けられ、前記第１のねじ部の他端部に、前記取付板の一面側に当接する頭部が設けられている段付ねじであることを特徴とする。
【００１５】
【発明の実施の形態】
以下、本発明にかかるディスクプレーヤにおける光ピックアップの光ディスクへのレーザ光線照射角度調節機構の好適な実施の形態を添付図面に基づいて詳細に説明する。なお、従来例と同様の構成については同じ符号を付し、詳しい説明は省略する。
【００１６】
（第１の実施の形態）
本実施の形態は、従来と同様に、メカシャーシ１０に対するターンテーブル１８が装着されたスピンドルモータ２０の傾きを調節することで、光ピックアップ１２の光ディスク１４へのレーザ光線の照射角度を調節する機構である。
先ず、構成について説明する。ディスクプレーヤにおける光ピックアップの光ディスクへのレーザ光線照射角度調節機構としてのターンテーブルの傾き調節機構２４の基本的な構成は、図１や図２に示した従来例の傾き調節機構と略同じであり、ターンテーブル１８が出力軸１６に取り付けられたスピンドルモータ２０はスピンドルモータ基板２２に固定され、このスピンドルモータ基板２２が、光ピックアップ１２が移動可能に配されたメカシャーシ１０に３つの支点部２６，２８，３０を介してメカシャーシ１０から浮かした状態で取り付けられている。３つの支点部２６，２８，３０は、一例として図１に示すようにターンテーブル１８の回転中心（出力軸１６）を中心として同一円周上に９０度間隔で配されているが、３つの支点部２６，２８，３０が同一直線上に配置されていなければ良く、特にこの配置に限定するものではない。また、支点部の数も３つに限定するものではない。
【００１７】
そして、３つの支点部２６，２８，３０のうちの１つの支点部２６が基準支点部に構成され、また他の２つの支点部２８，３０が調節支点部として構成されて、この調節支点部２８，３０のいずれか一方若しくは両方を調節することによってメカシャーシ１０に対するスピンドルモータ基板２２の傾きを基準支点部２６を基準として変化させて、結果としてメカシャーシ１０上でのターンテーブル１８の傾きを任意に調節することができる構成になっている。
【００１８】
本発明に係るディスクプレーヤにおける光ピックアップの光ディスクへのレーザ光線照射角度調節機構の構成を示す図１におけるＹ−Ｙ矢視図を図３に示す。図３に示す基準支点部２６は、メカシャーシ１０と、取付板としてのスピンドルモータ基板２２との間に介装したスタッド３２を、スピンドルモータ基板２２側から挿入した段付ねじ３４により固定して、隙間間隔を略一定に維持するように設けられている。
【００１９】
このスタッド３２は、隙間方向を高さ方向とする円柱形状に設けられ、一端面がメカシャーシ１０の一面側に取り付けられて、他端面にねじ孔３６が設けられている。そして、スピンドルモータ基板２２に設けられた透孔３８から挿入された段付ねじ３４が、このスタッド３２のねじ孔３６と螺合してスタッド３２を固定することにより、メカシャーシ１０とスピンドルモータ基板２２との間隔を略一定に保持している。
なお、ここでいう段付ねじ３４は、頭部３４ａがスピンドルモータ基板２２の一面側に当接し、大径部３４ｂがスピンドルモータ基板２２に設けられた透孔３８に挿通する形状に形成され、この大径部３４ｂよりも小径で大径部３４ｂと同一軸線上に設けられ、スタッド３２のねじ孔３６に螺合するねじ山が形成された小径部３４ｃとで構成されているものである。
そして、スタッド３２の他端面とスピンドルモータ基板２２の他面側との間には、振動および衝撃を吸収する緩衝材として、ブチルゴム等でリング状に形成された弾性体４０を取り付けている。これにより、振動や衝撃時においても衝撃力が弾性体４０により吸収され、基準支点部にかかる負荷を軽減することができる。
【００２０】
次に、本実施形態の調節支点部２８，３０の構成ついて詳細に説明する。なお、本発明のディスクプレーヤにおける光ピックアップの光ディスクへのレーザ光線照射角度調節機構においては、調節支点部２８，３０に図３に示す間隔調節ねじ４２を用いたことを特徴とするものである。
本実施形態における間隔調節ねじ４２は、段付ねじであり、ドライバー等でねじを回転させる頭部４４と、この頭部４４の一端部に設けられている第１のねじ部としての大径部４６と、大径部４６よりも小径に設けられ、大径部４６の他端部に設けられている第２のねじ部としての小径部４８とで構成されている。
【００２１】
そして、この大径部４６と小径部４８とには、ねじ山４７，４９がそれぞれ形成されており、本実施形態においては、大径部４６が右ねじとなるようにねじ山４７が形成され、反対にねじ山４９は小径部４８が左ねじとなるように形成されている。
ここで、上記の右ねじとは、軸方向から見たとき時計回り（右回り）にたどれば、その人から遠ざかるようにねじ山が形成されたねじのことを言い、また、左ねじとは、右ねじとは反対に、反時計回り（左回り）にたどると、その人から遠ざかるようにねじ山が形成されたねじのことを言う。そして、本実施形態においては軸方向を大径部４６から小径部４８に向けての方向としている。
【００２２】
図４に調節支点部の拡大図を調節動作順に示し、上記の間隔調節ねじ４２の構成および調節動作について説明する。
図４（ａ）に示すように、メカシャーシ１０には間隔調節ねじ４２の小径部４８のねじ山４９が螺合するねじ孔５０が設けられ、取付板としてのスピンドルモータ基板２２には大径部４６のねじ山４７が螺合するねじ孔５２が設けられている。
そして、上記構成の間隔調節ねじ４２をスピンドルモータ基板２２の一面側から時計回り（右回り）に回転させながら導入すると、間隔調節ねじ４２の大径部４６とスピンドルモータ基板２２のねじ孔５２とが螺合し、図４（ｂ）に示すように、間隔調節ねじ４２の頭部４４の座面がスピンドルモータ基板２２の一面側に当接する位置まで導入される。このとき、メカシャーシ１０側においては、間隔調節ねじ４２の小径部４８が左ねじに設けられているため、小径部４８の先端とメカシャーシ１０のねじ孔５０とが当接したまま空回りして導入されない。
【００２３】
この後、図４（ｂ）の矢印方向すなわち反時計回り（左回り）に間隔調節ねじ４２を回転させることによって、小径部４８がメカシャーシ１０のねじ孔５０に螺合し、図４（ｃ）に示すように、メカシャーシ１０は大径部４６側に移動する。また、他端部にまでスピンドルモータ基板２２が導入された状態にある大径部４６においては、逆方向に回転されることによりスピンドルモータ基板２２が小径部４８側へと移動する。
これにより、間隔調節ねじ４２を反時計回りに回すことでメカシャーシ１０とスピンドルモータ基板２２が徐々に近づくため、螺合の度合で好適な間隔を調節することができる。また、スピンドルモータ基板２２の一面側から挿入できることから、間隔調節ねじ４２の設置が容易に行え、さらに、メカシャーシ１０及びスピンドルモータ基板２２が共に間隔調節ねじ４２と螺合しているために、振動や衝撃においても位置ずれすることなく、安定した隙間間隔に維持することができる。尚且つ、従来の調節支点部のように、コイルスプリング１０６を設置しなくていいことから部品点数が減り、調節支点部２８，３０の構成を簡易にすることができる。
【００２４】
なお、本発明の間隔調節ねじにおいては、本実施形態のように大径部４６が右ねじ、小径部４８が左ねじとなるように形成することに限定するものではなく、反対に、大径部が左ねじで小径部が右ねじとなるように形成することでも良い。また、本発明の間隔調節ねじの頭部においても、上記形状に限定されるものではなく、例えば、六角レンチ等で回転させるように設けられているものでもよい。
【００２５】
図５に、上述した間隔調節ねじの構成と異なる別の実施例の間隔調節ねじを示す。この間隔調節ねじ５４は、ねじの頭部がなく、且つ第１のねじ部と第２のねじ部の径を同じに形成していることを特徴とし、第１対象物としてのスピンドルモータ基板２２に設けられたねじ孔５６に螺合するねじ山５７が形成された第１のねじ部５８と、第１のねじ部５８と略同径で、第１のねじ部５８の一端部に中間部６０を介して設けられ、第２対象物としてのメカシャーシ１０に設けられたねじ孔６２に螺合するねじ山６３が形成された第２のねじ部６４とで構成されている。
そして、この間隔調節ねじ５４は、第１のねじ部５８から第２のねじ部６４へ向けての方向を軸方向とした際に、第１のねじ部５８が左ねじとなるねじ山５７が形成され、第２のねじ部６４が右ねじとなるねじ山６３が形成されている。
【００２６】
この上記構成の間隔調節ねじ５４は、図５（ａ）に示すように、設置する際にはメカシャーシ１０とスピンドルモータ基板２２との間に配置し、時計回りに回転させることによって、スピンドルモータ基板２２のねじ孔５６と第１のねじ部５８のねじ山５７及びメカシャーシ１０のねじ孔６２と第２のねじ部６４のねじ山６３とが螺合する。
これは、第１のねじ部５８と第２のねじ部６４とに反対向きのねじ山を設けていることから、螺合する向きが反対位置にある第１のねじ部５８と第２のねじ部６４とを一方向に回転させた際に互いに螺合することによるものである。
これにより、図５（ｂ）に示すように、スピンドルモータ基板２２はメカシャーシ１０側に移動し、スピンドルモータ基板２２はメカシャーシ１０側に移動することから、間隔調節ねじ５４の回転させることでメカシャーシ１０とスピンドルモータ基板２２とを徐々に近づけさせることができる。よって、間隔調節を間隔調節ねじ５４の螺合の度合により調節することが可能であり、また、メカシャーシ１０及びスピンドルモータ基板２２と間隔調節ねじ５４が共に螺合していることから隙間間隔を安定して保持することができる。
【００２７】
なお、間隔調節ねじ５４の回転させる方法は、どのような手段を用いてもかまわないが、例えば、第１のねじ部５８の他端に六角レンチ用の凹部を設け、この凹部に六角レンチを嵌合させて回転させることで容易に回転させることができる。
また、この実施形態では、第１のねじ部５８と第２のねじ部６４との間に、ねじ山を形成していない中間部６０を設けているが、本発明の間隔調節ねじにおいてはこれを必須とするものではなく、第１のねじ部５８と第２のねじ部６４とが連続するように間隔調節ねじを形成しても良い。
さらに、第１のねじ部５８のねじ山５７と第２のねじ部６４のねじ山６３においても、第１のねじ部５８が左ねじ、第２のねじ部６４が右ねじとなるように設けることに限定するものではなく、反対に、第１のねじ部５８が右ねじ、第２のねじ部６４が左ねじとなるようにねじ山を形成しても良い。
また、本発明の間隔調節ねじにおいて、ねじ部に形成されるねじ山の角度は、適宜に設計するするものであるため、第１のねじ部と第２のねじ部のねじ山を逆方向の同角度で設けることでも良く、また、それとは異なる角度に設けてもよい。
【００２８】
また、本発明のディスクプレーヤにおける光ピックアップの光ディスクへのレーザ光線照射角度調節機構においても、図３に示す基準支点部の構成に限定するものではない。他の構成としては、図６（ａ）に示すように、メカシャーシ１０に取り付けられ、スピンドルモータ基板２２に当接する面を湾曲させたスペーサ６６を、メカシャーシ１０とスピンドルモータ基板２２の間に設け、スピンドルモータ基板２２側から挿入したねじ７０をスペーサ６６に設けられた透孔６８にを貫通させてメカシャーシ１０に螺合することによってスペーサ６６を固定した基準支点部としても良い。
また、図６（ｂ）に示すように、図６（ａ）に示したねじ７０の頭部７０ａの座面とスピンドルモータ基板２２の間に、メカシャーシ方向に常時付勢する弾性部材７２を設けて、振動や衝撃時に緩衝するようにしてもよい。さらに、図６（ｃ）に示すように、図６（ｂ）に示すスペーサ６０の代わりにメカシャーシ１０からスピンドルモータ基板２２方向へ突出する突起７４を設けて、略一定幅の間隔を保持できるように設けてもよい。
【００２９】
（第２の実施の形態）
上述した第１の実施の形態は、スピンドルモータ２０をメカシャーシ１０に対して傾け可能に取り付け、この傾き角度を調節することによって光ピックアップ１２からのレーザ光線の照射角度を調節するという照射調節機構であったが、逆にスピンドルモータ２０はメカシャーシ１０に固定し、レーザ光線を照射する光ピックアップ１２自体をメカシャーシ１０に対して傾け可能に構成し、この傾き角度を調節することによって光ピックアップ１２の光ディスク１４へのレーザ光線の照射角度を調節することもできる。
本実施の形態は、この後者の方式を採用したディスクプレーヤにおける光ピックアップ１２の光ディスクへのレーザ光線照射角度調節機構である。
【００３０】
この機構の詳細な構成について、図７及び図８を用いて説明する。最初に、光ピックアップ１２とそのガイド部とその駆動系とが取り付けられた取付板としての光ピックアップ取付板７６について説明する。なお、上述した各実施の形態と同じ構成については同じ符号を付し、詳しい説明は省略する。
光ピックアップ取付板７６の略中央には、略四角形の開口部７７が形成されており、この開口部７７の対向する２辺付近に、ガイド部としてのガイドレール７８が１本ずつ平行に配置され、固定されている。そして、光ピックアップ１２は、この一対のガイドレール７８間にスライド自在に取り付けられている。
駆動系の一部を構成する駆動モータ７９は、光ピックアップ取付板７６に固定され、その出力軸７９ａに取り付けられた歯車７９ｂと光ピックアップ１２に設けられたラックギア１２ａとの間には、減速用の歯車８０ａ，８０ｂ，８０ｃが光ピックアップ取付板７６に回転自在に取り付けられており、光ピックアップ１２ａのラックギア１２ａは、歯車８０ｃと噛合するように設けられている。
【００３１】
次に、光ピックアップ１２のメカシャーシ１０への取付構造について説明する。この光ピックアップ取付板７６も、上述したように第１の実施の形態で説明した１つの基準支点部２６と２つの調節支点部２８，３０を介してメカシャーシ１０に対して傾き可能に取り付けられている。
本実施の形態の基準支点部２６は、第１の実施の形態と同様、スタッド３２、段付ねじ３４及び弾性体４０（図３参照）で構成され、メカシャーシ１０と光ピックアップ取付板７６との間の隙間間隔を略一定幅に保持させている。
【００３２】
また、調節支点部２８，３０においても、第１の実施の形態と同様、頭部３４ａ、大径部３４ｂ及び小径部３４ｃで構成される間隔調節ねじ４２が、光ピックアップ取付板７６に設けられたねじ孔８１と、メカシャーシ１０に設けられたねじ孔８２にそれぞれ大径部３４ｂと小径部３４ｃが螺合して取り付けられている。
これにより、メカシャーシ１０と光ピックアップ取付板７６の間の隙間間隔を間隔調節ねじ４２の螺合度合により好適に調節することができ、また、メカシャーシ１０及び光ピックアップ取付板７６が間隔調節ねじ４２と螺合しているため、隙間間隔を常に略一定に維持することが可能である。さらに、従来の調節支点部のようにコイルスプリングを使用していないために部品点数が減り、構成を単純にすることができる。
【００３３】
なお、本実施形態においても、支点部を３つに限定するものではなく、それ以上設けることも可能である。また、第１の実施の形態と同様、基準支点部２６を、図６に示す構成にすることでも良いし、調節支点部２８，３０においても、図５に示す間隔調節ねじ５４とすることも可能である。
【００３４】
そして、第２の実施形態の構成とすることで、光ピックアップ１２の光ディスク１４へのレーザ光線の照射角度を調節する場合、各調節支点部２８，３０の間隔調節ねじ４２，５４を回すことで、メカシャーシ１０と光ピックアップ取付板７６との間の間隔が変わるため、光ピックアップ取付板７６は基準支点部２６を基準として種々の方向に傾く。よって、この光ピックアップ取付板７６にスライド自在に取り付けられた光ピックアップ１２のメカシャーシ１０に対する角度も変わり、ひいてはメカシャーシ１０に固定されたスピンドルモータ２０の出力軸に装着されたターンテーブル１８に対する角度も変わる。
これにより、ターンテーブル１８に載置される光ディスク１４への光ピックアップ１２のレーザ光線の照射角度も変えることができるようになる。
【００３５】
なお、本発明の間隔調節ねじの実施形態としては、ディスクプレーヤにおける光ピックアップの光ディスクへのレーザ光線照射角度調節機構に用いたものについてのみ説明してきた。しかし、間隔調節ねじを採用する構造としてはこれらに限定されるものではなく、様々なものに採用することが可能である。
【００３６】
【発明の効果】
本発明による間隔調節ねじにおいては、同一軸線上に設けられた第１のねじ部と第２のねじ部が、間隔調節をする２つの対象物にそれぞれ螺合していることから、振動や衝撃においても２つの対象物の間隔を略一定に保持することができる。
そして、この間隔調節ねじを用いて、メカシャーシとスピンドルモータ基板、又はメカシャーシと光ピックアップ取付板との間の隙間間隔を調節することにより、間隔を常に略一定に維持することが可能となり、しいては、光ディスクに照射するレーザ光線の角度を常に略一定に維持することができる等の著効を奏する。
【図面の簡単な説明】
【図１】メカシャーシに取り付けられる光ピックアップとターンテーブルとの関係を示すと共に、ターンテーブルの傾き調節機構の３つの支点部の位置を示すディスクプレーヤのメカシャーシ部分の平面図である。
【図２】図１に示すＸ−Ｘ矢視図である。
【図３】本発明に係るディスクプレーヤにおける光ピックアップの光ディスクへのレーザ光線照射角度調節機構の構成を示す図１におけるＹ−Ｙ矢視図である。
【図４】図３に示す調節支点部を拡大して調節動作を説明する説明図である。
【図５】本発明に係る間隔調節ねじの他の実施例を示す説明図である。
【図６】図３に示す基準支点部の他の実施例についての構成を示す図１におけるＹ−Ｙ矢視図である。
【図７】本発明に係るディスクプレーヤにおける光ピックアップの光ディスクへのレーザ光線照射角度調節機構の第２の実施の形態の構成を示す平面図である。
【図８】図７の矢印方向から見た正面図である。
【図９】従来のターンテーブルの傾き調節機構の構成を示す図１におけるＹ−Ｙ矢視図である。
【符号の説明】
１０　メカシャーシ
１２　光ピックアップ
１８　ターンテーブル
２２　スピンドルモータ基板
２６　基準支点部
２８　調節支点部
３０　調節支点部
４２　間隔調節ねじ
４４　頭部
４６　大径部
４８　小径部
５４　間隔調節ねじ
５８　第１のねじ部
６４　第２のねじ部
７６　光ピックアップ取付板
【図１】
2004022134.tif 000003
【図２】
2004022134.tif 000004
【図３】
2004022134.tif 000005
【図４】
2004022134.tif 000006
【図５】
2004022134.tif 000007
【図６】
2004022134.tif 000008
【図７】
2004022134.tif 000009
【図８】
2004022134.tif 000010
【図９】
2004022134.tif 000011